(57)【特許請求の範囲】
【請求項１】
天板や壁面等の取付孔に挿通固定され、水栓本体と給水・給湯配管との間に接続される給水栓の接続管であって、水栓本体の接続口に接続される水栓本体側接続部と、クランク状に屈曲する本体部と、天板や壁面等に挿通固定されて給水・給湯配管に接続される配管側接続部とを備え、天板や壁面等の板側に当接する支持部が、前記本体部の前記水栓本体側接続部側の下面に設けられたことを特徴とする給水栓の接続管。
【発明の詳細な説明】
【０００１】
【発明の属する技術分野】
本発明は、流し台や洗面台等の天板や壁面に設置される給水栓の接続管に関し、特に天板や壁面等の取付孔に挿通して、水栓本体と給水・給湯配管との間に接続されるクランク状に屈曲する形状の給水栓の接続管に関する。
【０００２】
【従来の技術】
流し台や洗面台等の天板や壁面に設けた取付孔に挿通して設置される給水栓において、水栓本体と給水・給湯配管との間に接続される給水栓の接続管には、水栓本体に設けられた湯側・水側の接続口間の間隔と、給水・給湯配管の間隔とが異なる場合に、クランク状に屈曲する形状の接続管を用いる場合がある。この接続管は、水栓本体の接続口に接続される接続部と、給水・給湯配管に接続される接続部とを異なる軸線上に配置するクランク状の形状に構成されている。接続管の湯側及び水側の接続部をそれぞれ天板などの取付孔に挿通して給水・給湯配管に接続し、この接続部の取付軸線を中心に接続部を適宜量回転させることにより水栓本体側のそれぞれの接続部の取付軸線の位置決めを行い、これにより両接続部間の間隔を水栓本体の湯側及び水側の接続口間の間隔に対応させるように調節している。
【０００３】
【発明が解決しようとする課題】
しかし、この接続管では、水栓本体に手をつくなどして誤って強い衝撃を与えた場合に、接続管の屈曲部、とりわけ取付孔に接続固定された接続部から天板上や壁面表面にかけての屈曲部に応力が加わり当該部位が撓んだり破損する虞がある。特に、屈曲部が露呈している接続管については、美観上の理由から接続管が太く見えないようにするためにその肉厚を薄くすることが行われており、このような接続管では強度が低下し特に破損の虞があり、一方で破損を防止しようとすると接続管が太くならざるを得なかった。
【０００４】
本発明は上記した問題点を解決するものであり、流し台や洗面台等の天板や壁面に設けた取付孔に挿通して水栓本体と給水・給湯配管との間に接続されるクランク状に屈曲する給水栓の接続管において、接続管が撓んだり破損することを簡便に防止することにある。また、別の目的は接続管の撓みや破損を防止しながら接続管の肉厚を薄くすることを可能とし、接続管の美観を向上させることにある。
【０００５】
【課題を解決するための手段】
本発明の給水栓の接続管は、天板や壁面等の取付孔に挿通固定され、水栓本体と給水・給湯配管との間に接続される給水栓の接続管であって、水栓本体の接続口に接続される水栓本体側接続部と、クランク状に屈曲する本体部と、天板や壁面等に挿通固定されて給水・給湯配管に接続される配管側接続部とを備え、天板や壁面等の板側に当接する支持部が、前記本体部の前記水栓本体側接続部側の下面に設けられたことを特徴とするものである。
【０００６】
支持部は  通常の使用時において必ずしも板側に当接する位置にある必要はなく、また、その様な形状に限定されることはない。接続管への不要な応力を軽減する程度において最低限当接する位置若しくは形状に設けられていればよい。また、支持部は必ずしも天板や壁面等に直接当接しなくとも、天板や壁面などに別途取り付け用の板などが取り付けられている場合にはこのような板に当接することとしても良い。
【０００７】
この手段によれば、接続管が取り付けられる天板や壁面等の板側に支持部が当接するので、支持部により接続管の撓みが規制される。また、衝撃により接続管に伝わる振動も板側に逃すことができる。
【０００８】
【発明の実施の形態】
本発明の実施の形態を図面を参照して説明する。図１は本発明の給水栓の接続管を用いた給水栓の一部破断面図、図２は、図１の給水栓の接続管の斜視図、図３は第二の実施の形態に係る給水栓の接続管の縦断面図、図４は第三の実施の形態に係る給水栓の接続管の縦断面図である。
【０００９】
図１を参照して説明すると、給水栓の接続管としてのソケット１は、サーモスタット式湯水混合水栓２をその上部に載置するように接続されると共に、（浴槽の）カウンターＵに設けられた取付孔３に、取付径調整のためのスリーブ４を介して固定されている。そして、さらにカウンターＵ下の給湯配管６及び給水配管７にそれぞれ接続されている。また、サーモスタット式湯水混合水栓２の下方部にはソケット１及び取付孔３を被覆するための略台形状のカバー２０が装着されている。
【００１０】
次に図１及び図２を参照して説明すると、ソケット１は、湯水混合水栓２に接続される略円筒状の水栓本体側接続部１１と、これに連設される中空状の本体部１２と、さらにこれに連設される略長円筒状の配管側接続部１３とを備えている。
【００１１】
本体部１２はその中央部分が長円形状の円柱状に設けられておりその長円の両端部にそれぞれ上下逆方向に屈曲する２カ所の屈曲部、すなわち水栓本体側屈曲部１７及び配管側屈曲部１８を備え、全体として略クランク状に設けられている。水栓本体側接続部１１は、本体部１２の長手方向とほぼ直角に水栓本体側屈曲部１７から上方に延設されその先端側において湯水混合水栓２と接続される。
一方、配管側接続部１３は、本体部１２の長手方向とほぼ直角に配管側屈曲部１８から下方に延設されその先端側において給湯配管６又は給水配管７と接続される。そして、本体部１２内には通水路１９が設けられており、水栓本体側接続部１１及び配管側接続部１３内にそれぞれ連通している。
【００１２】
水栓本体側接続部１１は湯水混合水栓２の接続口５に接続されている。また、配管側接続部１３がスリーブ４に螺入され、スリーブ４がカウンターＵの取付孔３にさらに挿入され、座金２１を介在させて袋ナット８によりスリーブ４をカウンターＵに固定することにより配管側接続部１３が取付孔３に確実に接続固定されている。さらに配管側接続部１３の先端側は、給湯配管６又は給水配管７に袋ナット９により接続固定されている。また、本体部１２の配管側接続部１３側のカウンターＵ取付位置には、カウンターＵにソケット１を安定的に固定するための鍔部１５が設けられ座金２２を介して前記した袋ナット８の締め付けによりカウンターＵに取り付けられている。
【００１３】
本体部１２の水栓本体側接続部１１側の下面には、本体部１２の本体からカウンターＵ方向に突出して支持部１６が設けられている。支持部１６は、円提形状に突出して設けられており、その先端部は通常の使用状態においてカウンターＵ上面に当接している。
【００１４】
この支持部１６の形状及び位置は必ずしも上記したものに限られず、湯水混合水栓２への衝撃がソケット１に伝わることによるソケット１の不要な撓みや破損が生じない限りにおいて設ければよい。したがって、例えば、支持部が通常の使用状態においてはカウンターＵに当接していなくとも、一定限度以上の撓みは生じないように必要な限度内においてカウンターＵ上面より浮上した状態に設けても良い。また、支持部１６は必ずしも直接カウンターＵなどの天板や壁面に当接する必要はなく、天板や壁面との間に介在させる取り付け用板などに当接させてもその効果が減ずることはない。
【００１５】
しかしながら、上記したように通常時においてカウンターＵ上面に当接させる構成とするとソケット１の屈曲部１７、１８とりわけ配管側屈曲部１８に加わる応力をより減少させることができる。また、支持部１６の位置も水栓本体側接続部１１の下方部分に設けることに限られず、配管側接続部１３に近い位置に設けても良いが、本体部１２の長手方向において取付孔３と反対側に位置する水栓本体側接続部１１側の下面に少なくとも設けることにより、より確実にソケット１の撓み、特に本体部１２の撓みを減少させることができる。
【００１６】
また、支持部１６の形状は例えば半円状にのみ設けたり、本体部１２の下面周縁部全体に沿って設けるなどとしても良い。
【００１７】
さらに、本体部１２の下面全体にわたって支持部１６を設けることもできる。図３は、水栓本体側接続部１１側の本体部１２下面略全体をカウンターＵに当接するように延出して支持部３６としたソケット３０である。このように構成することにより支持部自体にかかる応力を拡散し支持部自体の破損も防止できる。また、本発明は、この実施の形態のように、配管側接続部１３を本体部１２と別体とするなどソケット全体を一体成形とせず各部を別体として構成しても良い。
【００１８】
次に本発明の第三の実施の形態を図４を参照して説明する。本実施の形態は、ソケット４０に別体の支持部としての固定ネジ４３を設けたものである。本実施の形態では、ソケット４０の水栓本体側屈曲部４７に設けられた一対の取着片４１に貫通孔４２をそれぞれ設け、この貫通孔４２に固定ネジ４３を下方よりねじ込んで螺着し、取着片４１上方に位置する湯水混合水栓２の固定孔４４にねじ込んで、ソケット１と湯水混合水栓２を固定している。
【００１９】
ここで、固定ネジ４３のネジ頭４５の長さは、貫通孔４２及び固定孔４４奥までこれを螺入した時点でカウンターＵに当接する長さに設けられている。したがって、この固定ネジ４３を介して、ソケット４０がカウンターＵに対し支持される。この例のように、固定ネジ４２のネジ頭４５をカウンターＵ側に当接させれば、固定ネジ４３のカウンターＵ側への移動を規制でき、固定ネジ４３の緩みも防止できる。
【００２０】
このように、本発明の支持部は第一、第二の実施の形態のようにソケットと一体的に形成されることに限られない。また、必ずしもソケットの本体部１２に設けることにも限られない。
【００２１】
なお、支持部を、単にカウンターＵに当接させるだけでなく接着その他の手段によりカウンターＵに固定させると、ソケットに伝わる応力がカウンターＵ方向だけでなく全ての方向において規制され、全ての方向におけるソケットの撓みや破損が防止できる。
【００２２】
【発明の効果】
本発明は上記のように構成されているので、接続管が撓んだり破損することを簡便に防止できる。また、接続管の撓みや破損を防止しながら接続管の肉厚を薄くすることを可能とし、接続管の美観を向上させることができる。
【図面の簡単な説明】
【図１】本発明の給水栓の接続管を用いた給水栓の一部破断面図である。
【図２】図１の給水栓の接続管の斜視図である。
【図３】第二の実施の形態に係る給水栓の接続管の正面側縦断面図である。
【図４】第三の実施の形態に係る給水栓の接続管を説明するためのこれを用いた給水栓の側面側縦断面図である。
【符号の説明】
１；ソケット、２；サーモスタット式湯水混合水栓、３；取付孔、４；スリーブ、５；接続口、６；給湯配管、７；給水配管、８；袋ナット、９；袋ナット、１１；水栓本体側接続部、１２；本体部、１３；配管側接続部、１５鍔部、１６；支持部、１７；水栓本体側屈曲部、１８；配管側屈曲部、１９；通水路、２０；カバー、２１；座金、２２；座金、３０；ソケット、３６；支持部、４０；ソケット、４１；取着片、４２；貫通孔、４３；固定ネジ、４４；固定孔、４５；ネジ頭、４７；水栓本体側屈曲部、Ｕ；カウンター。
【図１】
0003554952.tif 000002
【図２】
0003554952.tif 000003
【図３】
0003554952.tif 000004
【図４】
0003554952.tif 000005